(57)【要約】【課題】洗浄便座に対するリモートコントロール装置の位置に拘わらず、適切な操作表示を可能とする。【解決手段】洗浄便座のリモートコントロール装置は、洗浄便座の機能を模式的に示す絵柄画像を使用者によりタッチ操作可能に表示する操作表示手段と、洗浄便座を基準とするリモートコントロール装置の相対位置が洗浄便座の右側位置および左側位置を含む複数位置のいずれであるかを取得する相対位置取得手段と、相対位置取得手段により取得されたリモートコントロール装置の相対位置に基づいて絵柄画像の表示内容を変更して表示するよう操作表示手段を制御する表示制御手段と、を備える。【選択図】図３
2018178583.tif 000002
【特許請求の範囲】
【請求項１】
洗浄便座のリモートコントロール装置であって、
前記洗浄便座の機能を模式的に示す絵柄画像を使用者によりタッチ操作可能に表示する操作表示手段と、
前記洗浄便座を基準とする前記リモートコントロール装置の相対位置が、前記洗浄便座の右側位置および左側位置を含む複数位置のいずれであるかを取得する相対位置取得手段と、
前記相対位置取得手段により取得された前記リモートコントロール装置の相対位置に基づいて前記絵柄画像の表示内容を変更して表示するよう前記操作表示手段を制御する表示制御手段と、
を備える洗浄便座のリモートコントロール装置。
【請求項２】
請求項１に記載の洗浄便座のリモートコントロール装置であって、
前記操作表示手段は、前記絵柄画像として、前記洗浄便座の機能が作動する際の作動状態を前後の方向性をもって模式的に示す画像を、使用者により前記機能のタッチ操作が可能に表示し、
前記表示制御手段は、前記絵柄画像から定まる前記洗浄便座の前後方向が前記洗浄便座の実際の前後方向に一致するように、前記リモートコントロール装置の相対位置が右側位置および左側位置のいずれであるかに基づいて前記絵柄画像の左右を反転して表示するよう前記操作表示手段を制御する
洗浄便座のリモートコントロール装置。
【請求項３】
請求項１または２に記載の洗浄便座のリモートコントロール装置であって、
前記操作表示手段は、前記絵柄画像として、前記洗浄便座の洗浄機能が作動する際の前後方向における洗浄位置を前後の方向性をもって模式的に示す画像を、使用者により位置調整のタッチ操作が可能に表示し、
前記表示制御手段は、前記絵柄画像から定まる前記洗浄便座の前後方向が前記洗浄便座の実際の前後方向に一致するように、前記リモートコントロール装置の相対位置が右側位置および左側位置のいずれであるかに基づいて前記絵柄画像の左右を反転して表示するよう前記操作表示手段を制御する
洗浄便座のリモートコントロール装置。
【請求項４】
請求項３に記載の洗浄便座のリモートコントロール装置であって、
前記操作表示手段は、前記洗浄位置を前方に調整するための前ボタン画像および後方に調整するための後ボタン画像を使用者によりタッチ操作可能に表示すると共に、前記洗浄位置として前後方向に調整可能な位置のうち後方端位置から現在の前記洗浄位置までと現在の前記洗浄位置を越えて前方端位置までとを異なる表示態様で示す位置画像を表示し、
前記表示制御手段は、前記絵柄画像の左右を反転する際には、前記前ボタン画像および前記後ボタン画像の表示位置を相互に入れ替えると共に、前記位置画像における後方端位置から前方端位置までの並びの方向を変更して表示するよう前記操作表示手段を制御する
洗浄便座のリモートコントロール装置。
【請求項５】
請求項１ないし４のいずれか１項に記載の洗浄便座のリモートコントロール装置であって、
手動操作により前記リモートコントロール装置の相対位置が前記複数位置のいずれであるかを設定可能なスイッチを備え、
前記相対位置取得手段は、前記スイッチで設定された前記リモートコントロール装置の相対位置を取得する
洗浄便座のリモートコントロール装置。
【発明の詳細な説明】
【技術分野】
【０００１】
本発明は、洗浄便座のリモートコントロール装置に関する。
【背景技術】
【０００２】
従来、この種の洗浄便座のリモートコントロール装置として、洗浄便座の各機能を操作する複数の操作スイッチが配置されたものが知られている（例えば特許文献１参照）。このリモートコントロール装置は、複数の操作スイッチが筐体に一列に並んで配置されており、洗浄便座が設けられるトイレ室内の壁面スペースに応じて、操作スイッチの列方向が縦方向となる縦向きまたは列方向が横方向となる横向きのいずれかで壁面に設置可能となっている。また、リモートコントロール装置の各操作スイッチは、表面に操作内容を示す模式的な絵柄などが設けられると共にその絵柄の向きを９０度回転させた位置で筐体に取り付け可能となっている。このため、リモートコントロール装置が設定される向きに、各操作スイッチの絵柄の向きを合わせることができる。
【先行技術文献】
【特許文献】
【０００３】
【特許文献１】特許第４３４９９６８号
【発明の概要】
【発明が解決しようとする課題】
【０００４】
上述したリモートコントロール装置は、トイレ室内の壁面において洗浄便座に対して右側の壁面に設置されることもあれば左側の壁面に設置されることもある。また、各操作スイッチの模式的な絵柄として、洗浄便座の各機能の作動状態を側方から模式的に示す絵柄が設けられることもある。そのような絵柄が設けられると、リモートコントロール装置が左右のいずれか一方の壁面に設置された場合には絵柄から把握される前後方向の向きが洗浄便座の向きと一致するが、他方の壁面にリモートコントロール装置が設置された場合には絵柄から把握される向きが洗浄便座の向きと一致しないことになる。絵柄から把握される前後方向の向きが洗浄便座の向きと一致しない場合には、リモートコントロール装置の操作スイッチを見た使用者が違和感を覚えたり、操作スイッチを誤操作したりするおそれがある。
【０００５】
本発明は、洗浄便座に対するリモートコントロール装置の位置に拘わらず、適切な操作表示を可能とすることを主目的とする。
【課題を解決するための手段】
【０００６】
本発明は、上述の主目的を達成するために以下の手段を採った。
【０００７】
本発明は、洗浄便座のリモートコントロール装置であって、
前記洗浄便座の機能を模式的に示す絵柄画像を使用者によりタッチ操作可能に表示する操作表示手段と、
前記洗浄便座を基準とする前記リモートコントロール装置の相対位置が、前記洗浄便座の右側位置および左側位置を含む複数位置のいずれであるかを取得する相対位置取得手段と、
前記相対位置取得手段により取得された前記リモートコントロール装置の相対位置に基づいて前記絵柄画像の表示内容を変更して表示するよう前記操作表示手段を制御する表示制御手段と、
を備えることを要旨とする。
【０００８】
本発明の洗浄便座のリモートコントロール装置は、洗浄便座を基準としてリモートコントロール装置の相対位置が洗浄便座の右側位置および左側位置を含む複数位置のいずれであるかを取得し、取得した相対位置に基づいて、使用者によりタッチ操作可能な絵柄画像の表示内容を変更して操作表示手段に表示する。これにより、リモートコントロール装置の相対位置に応じた表示内容の絵柄画像を表示することができるから、リモートコントロール装置の相対位置に拘わらず、適切な操作表示を可能とすることができる。
【０００９】
本発明の洗浄便座のリモートコントロール装置において、前記操作表示手段は、前記絵柄画像として、前記洗浄便座の機能が作動する際の作動状態を前後の方向性をもって模式的に示す画像を、使用者により前記機能のタッチ操作が可能に表示し、前記表示制御手段は、前記絵柄画像から定まる前記洗浄便座の前後方向が前記洗浄便座の実際の前後方向に一致するように、前記リモートコントロール装置の相対位置が右側位置および左側位置のいずれであるかに基づいて前記絵柄画像の左右を反転して表示するよう前記操作表示手段を制御するものとすることもできる。こうすれば、リモートコントロール装置の相対位置に拘わらず、使用者が洗浄便座の機能を操作する際に使用者が違和感を覚えることのない適切な操作表示を行うことができる。
【００１０】
本発明の洗浄便座のリモートコントロール装置において、前記操作表示手段は、前記絵柄画像として、前記洗浄便座の洗浄機能が作動する際の前後方向における洗浄位置を前後の方向性をもって模式的に示す画像を、使用者により位置調整のタッチ操作が可能に表示し、前記表示制御手段は、前記絵柄画像から定まる前記洗浄便座の前後方向が前記洗浄便座の実際の前後方向に一致するように、前記リモートコントロール装置の相対位置が右側位置および左側位置のいずれであるかに基づいて前記絵柄画像の左右を反転して表示するよう前記操作表示手段を制御するものとすることもできる。こうすれば、リモートコントロール装置の相対位置に拘わらず、使用者が洗浄位置の調整操作を行う際に使用者が違和感を覚えたり誤操作したりするのを防止する適切な操作表示を行うことができる。
【００１１】
本発明の洗浄便座のリモートコントロール装置において、前記操作表示手段は、前記洗浄位置を前方に調整するための前ボタン画像および後方に調整するための後ボタン画像を使用者によりタッチ操作可能に表示すると共に、前記洗浄位置として前後方向に調整可能な位置のうち後方端位置から現在の前記洗浄位置までと現在の前記洗浄位置を越えて前方端位置までとを異なる表示態様で示す位置画像を表示し、前記表示制御手段は、前記絵柄画像の左右を反転する際には、前記前ボタン画像および前記後ボタン画像の表示位置を相互に入れ替えると共に、前記位置画像における後方端位置から前方端位置までの並びの方向を変更して表示するよう前記操作表示手段を制御するものとすることもできる。こうすれば、使用者が洗浄位置の調整操作を行う際に使用者が違和感を覚えたり誤操作したりするのを防止する操作表示を簡易な表示制御で行うことができる。
【００１２】
本発明の洗浄便座のリモートコントロール装置において、手動操作により前記リモートコントロール装置の相対位置が前記複数位置のいずれであるかを設定可能なスイッチを備え、前記相対位置取得手段は、前記スイッチで設定された前記リモートコントロール装置の相対位置を取得するものとすることもできる。こうすれば、スイッチを設けるだけの簡易な構成変更で、リモートコントロール装置の相対位置に拘わらず適切な操作表示を確実に行うことができる。
【図面の簡単な説明】
【００１３】
【図１】洗浄便座１０とリモートコントロール装置２０の外観斜視図である。
【図２】リモートコントロール装置２０の制御に関する構成図である。
【図３】リモートコントロール装置２０の正面図の一例である。
【図４】リモートコントロール装置２０の正面図の別例である。
【図５】リモートコントロール装置２０の使用の様子の一例を示す説明図である。
【図６】リモートコントロール装置２０の使用の様子の別例を示す説明図である。
【図７】変形例のリモートコントロール装置２０の正面図である。
【発明を実施するための形態】
【００１４】
本発明を実施するための形態を実施例を用いて説明する。
【実施例】
【００１５】
図１は洗浄便座１０とリモートコントロール装置２０の外観斜視図であり、図２はリモートコントロール装置２０の制御に関する構成図であり、図３はリモートコントロール装置２０の正面図の一例であり、図４はリモートコントロール装置２０の正面図の別例である。なお、洗浄便座１０を基準とする前後方向，左右方向，上下方向を図１に示す。
【００１６】
実施例の洗浄便座１０は、便器１の上面に設置された本体１２と、本体１２に対して開閉可能に支持された便座１４および便蓋１６とを備える。また、洗浄便座１０は、本体１２の下部から前方に進出可能な図示しない洗浄ノズルと、本体１２内に設けられ前方の斜め上側に向けて温風を送風可能な図示しない乾燥ファンとを備える。この洗浄便座１０は、リモートコントロール装置（以下、リモコンという）２０により各種機能の操作が可能となっている。洗浄便座１０の各種機能としては、例えば、洗浄ノズルを用いたおしり洗浄やビデ洗浄、洗浄ノズルの洗浄水の強さの強弱の設定、洗浄ノズルの洗浄位置の前後の調整、乾燥ファンを用いた使用者の局部の乾燥、便座１４や便蓋１６の開閉などが挙げられる。
【００１７】
リモコン２０は、図２，図３に示すように、使用者がタッチ操作可能な表示操作パネル２２と、リモコン２０が設置された壁面を設定する設定スイッチ２４と、洗浄便座１０に信号を送信する送信部２６と、リモコン２０の全体を制御する制御部２８とを備える。
【００１８】
表示操作パネル２２は、図３に示すように、リモコン２０の筐体前面にタッチ操作可能な液晶画面などとして設けられ、洗浄便座１０の各種機能の操作内容を示す操作用語と、各操作用語の下に配置され使用者がタッチ操作するためのアイコン２３とを表示する。アイコン２３としては、おしり洗浄やビデ洗浄，乾燥の停止を指示する止アイコン２３ａと、おしり洗浄の開始を指示するおしり洗浄アイコン２３ｂと、ビデ洗浄の開始を指示するビデ洗浄アイコン２３ｃと、乾燥の開始を指示する乾燥アイコン２３ｄと、おしり洗浄やビデ洗浄の洗浄水の強弱を設定する洗浄強さアイコン２３ｅと、おしり洗浄やビデ洗浄の洗浄位置（噴射位置）を前後に調整する洗浄位置アイコン２３ｆと、便蓋１６を開閉するための便蓋開閉アイコン２３ｇと、便座１４を開閉するための便座開閉アイコン２３ｈとが表示されている。なお、便蓋開閉アイコン２３ｇと便座開閉アイコン２３ｈとを別々のアイコンとして表示するものとしたが、便座１４および便蓋１６の開閉操作が可能な１のアイコンとして表示するものとしてもよい。
【００１９】
本実施例のアイコン２３には、洗浄便座１０の機能と関連付けた模式的な絵柄画像が表示されるものがある。例えば、おしり洗浄アイコン２３ｂとビデ洗浄アイコン２３ｃは、いずれも、洗浄便座１０の便座１４に着座している使用者および前方の噴射位置に進出して使用者に洗浄水を噴射している洗浄ノズルを、側方から模式的に示す画像である。乾燥アイコン２３ｄは、乾燥ファンから前方に向けて送風される温風の気流を側方から模式的に示す画像である。洗浄強さアイコン２３ｅは、洗浄強さが強いほど長くなる５本のバーを用いて洗浄強さを５段階に設定可能なことを模式的に示すバー画像および強弱を設定するための「＋」と「−」のボタン画像である。この洗浄強さアイコン２３ｅは、設定中の洗浄強さに応じた長さのバーまで黒色で表示し残りを透明で表示することで、洗浄強さの設定状態を示す。洗浄位置アイコン２３ｆは、一列に並ぶ５つのブロックで洗浄位置を前後の５段階に調整（設定）可能なことを模式的に示すブロック画像（位置画像）および前後の位置を調整（設定）するための「前」，「後」のボタン画像である。この洗浄位置アイコン２３ｆは、前後方向に調整可能な洗浄位置のうち後方端位置のブロックから設定中の洗浄位置に応じたブロックまでを黒色で表示し、設定中の洗浄位置を越えたブロックから前方端位置のブロックまで（残りのブロック）を透明で表示することで、洗浄位置の設定状態を示す。便蓋開閉アイコン２３ｇと便座開閉アイコン２３ｈは、それぞれ便座１４および便蓋１６を開閉操作可能なことを模式的に示す画像であり、便座１４や便蓋１６が閉状態で押されることで開操作が可能で、便座１４や便蓋１６が開状態で押されることで閉操作が可能である。なお、洗浄便座１０（便座１４）に着座している使用者の前後方向は一方向に定まり、洗浄ノズルも本体１２から前方に進出するから、使用者はおしり洗浄アイコン２３ｂやビデ洗浄アイコン２３ｃから洗浄便座１０の前後方向を直感的に把握することになる。また、乾燥ファンから送風される温風は前方に流れるから、使用者は乾燥アイコン２３ｄから洗浄便座１０の前後方向を直感的に把握することになる。また、洗浄位置アイコン２３ｆは「前」，「後」のボタン画像を有するから、使用者は洗浄位置アイコン２３ｆから洗浄便座１０の前後方向を直感的に把握することになる。また、使用者は便蓋開閉アイコン２３ｇや便座開閉アイコン２３ｈから洗浄便座１０の前後方向を直感的に把握することになる。
【００２０】
設定スイッチ２４は、洗浄便座１０が設置されるトイレ室内の壁面のうち、リモコン２０が設置された設置面を設置者や使用者が設定するためのスイッチである。設定スイッチ２４は、図３に示すように、リモコン２０の筐体の前面における表示操作パネル２２の右下側に設けられ、洗浄便座１０に対して右側となる右壁面または左側となる左壁面のいずれかを選択的に設定可能となっている。また、設定スイッチ２４は、リモコン２０の筐体の下端に蝶番を介して取り付けられた開閉蓋２４ａにより開閉可能となっている。このため、リモコン２０の設置者や使用者は、リモコン２０の設置時に、リモコン２０が設置された壁面に応じて設定スイッチ２４を右壁面または左壁面のいずれかに切り替えた後、開閉蓋２４ａを閉じて設定スイッチ２４が露出しないようにすることができる。このため、設定スイッチ２４を前面に設けた場合でも、設定スイッチ２４が露出することによりリモコン２０の美観が損なわれるのを防止することができる。
【００２１】
送信部２６は、図２，図３に示すように、リモコン２０の筐体の右上部に設けられた右側送信部２６ａおよび左上部に設けられた左側送信部２６ｂを備える。右側送信部２６ａおよび左側送信部２６ｂには、赤外線を発光する図示しない赤外線ＬＥＤが設けられており、制御部２８により生成されたリモコン信号を赤外線信号として送信（発光）可能となっている。
【００２２】
制御部２８は、図示しないＣＰＵやＲＯＭ，ＲＡＭなどを有する。この制御部２８には、表示操作パネル２２から使用者のアイコン２３のタッチ操作を示す操作信号が入力され、設定スイッチ２４からリモコン２０の設置壁面（右壁面または左壁面）を示す位置信号が入力される。制御部２８は、入力された操作信号に基づいてタッチ操作に対応するリモコン信号を生成し、生成したリモコン信号を送信部２６（右側送信部２６ａおよび左側送信部２６ｂ）から洗浄便座１０に送信する。また、制御部２８は、表示操作パネル２２の表示制御も行っており、入力された位置信号に基づいてアイコン２３の表示内容の一部を以下のように変更して表示するよう表示操作パネル２２を表示制御する。
【００２３】
ここで、図３はリモートコントロール装置２０の正面図の一例として、設定スイッチ２４が右壁面に設定されている場合に表示操作パネル２２に表示される右側用の表示態様２２Ｒを示す。また、図４はリモートコントロール装置２０の正面図の別例として、設定スイッチ２４が左壁面に設定されている場合に表示操作パネル２２に表示される左側用の表示態様２２Ｌを示す。図３および図４に示すように、制御部２８は、設定スイッチ２４の設定に合わせて、おしり洗浄アイコン２３ｂとビデ洗浄アイコン２３ｃ、乾燥アイコン２３ｄ、洗浄強さアイコン２３ｅ、洗浄位置アイコン２３ｆ、便蓋開閉アイコン２３ｇ、便座開閉アイコン２３ｈを左右を反転して表示する。このため、図３と図４とでおしり洗浄アイコン２３ｂおよびビデ洗浄アイコン２３ｃの使用者および洗浄ノズルの向きが反対向きとなり、乾燥アイコン２３ｄの気流の向きが反対向きとなる。また、洗浄強さアイコン２３ｅの５本のバー画像の並びと「＋」と「−」のボタン画像の表示位置が入れ替わることで、洗浄強さアイコン２３ｅが反対向きとなる。また、洗浄位置アイコン２３ｆの５つのブロック画像の並びの方向を変更して黒塗りされるまでの画像と、「前」，「後」のボタン画像の表示位置が入れ替わることで、洗浄位置アイコン２３ｆが反対向きとなる。また、便蓋開閉アイコン２３ｇおよび便座開閉アイコン２３ｈの絵柄の向きが反対向きとなる。このように、本実施例では、おしり洗浄アイコン２３ｂとビデ洗浄アイコン２３ｃ、乾燥アイコン２３ｄ、洗浄強さアイコン２３ｅ、洗浄位置アイコン２３ｆ、便蓋開閉アイコン２３ｇ、便座開閉アイコン２３ｈの表示内容を、設定スイッチ２４の設定即ち洗浄便座１０に対するリモコン２０の相対位置が右側か左側かに応じて、左右反転して表示するのである。なお、予めＲＯＭなどに左右反転した２種類のアイコン２３が記憶されており、制御部２８がいずれかの向きのアイコン２３を選択して表示するものとしてもよいし、制御部２８は表示する各アイコンの画素の座標を変換して左右を反転表示するものとしてもよい。また、制御部２８は、おしり洗浄アイコン２３ｂとビデ洗浄アイコン２３ｃ、乾燥アイコン２３ｄ、洗浄強さアイコン２３ｅ、洗浄位置アイコン２３ｆ、便蓋開閉アイコン２３ｇ、便座開閉アイコン２３ｈを左右反転して表示するが、それらの操作用語の表示位置は変更せず、操作用語の下に配置される各アイコン２３（２３ｂ，２３ｃ，２３ｄ，，２３ｅ，２３ｆ，２３ｇ，２３ｈ）も表示位置が変更されないものとなっている。なお、制御部２８は、これら以外のアイコン２３、即ち、止アイコン２３ａは左右反転することなく同じ向きのまま表示操作パネル２２に表示する。
【００２４】
このように洗浄便座１０に対するリモコン２０の相対位置に応じてアイコン２３の左右が反転表示されるリモコン２０が使用される様子について説明する。図５は、リモートコントロール装置２０の使用の様子の一例を示す説明図であり、図６は、リモートコントロール装置２０の使用の様子の別例を示す説明図である。図５は、右壁面に設置されたリモコン２０を使用者Ｍが使用する様子であり、図３と同様に表示操作パネル２２に右側用の表示態様２２Ｒが表示される。図６は、左壁面に設置されたリモコン２０を使用者Ｍが使用する様子であり、図４と同様に表示操作パネル２２に左側用の表示態様２２Ｌが表示される。上述したように、おしり洗浄アイコン２３ｂとビデ洗浄アイコン２３ｃ、乾燥アイコン２３ｄ、洗浄位置アイコン２３ｆ、便蓋開閉アイコン２３ｇ、便座開閉アイコン２３ｈは、使用者が洗浄便座１０の前後方向を直感的に把握可能な絵柄画像が表示される。このため、図５の表示態様２２Ｒのアイコン２３を見た使用者Ｍは、リモコン２０の正面視で左側から右側に向かう方向を洗浄便座１０の前方から後方に向かう方向と把握するから、使用者Ｍが把握する方向が洗浄便座１０の実際の前後方向と一致することになる。また、図６の表示態様２２Ｌのアイコン２３を見た使用者Ｍは、リモコン２０の正面視で右側から左側に向かう方向を洗浄便座１０の前方から後方に向かう方向と把握するから、使用者Ｍが把握する方向が実際の洗浄便座１０の前後方向と一致することになる。このように、本実施例では、おしり洗浄アイコン２３ｂとビデ洗浄アイコン２３ｃ、乾燥アイコン２３ｄ、洗浄位置アイコン２３ｆ、便蓋開閉アイコン２３ｇ、便座開閉アイコン２３ｈの表示内容を左右反転することにより、左右いずれの壁面にリモコン２０が設置されていても使用者がアイコン２３を見たときに直感的に把握される洗浄便座１０の前後方向と、実際の洗浄便座１０の前後方向とを一致させることができるのである。これにより、アイコン２３から把握される方向と、実際の方向とが異なることにより、使用者に違和感を与えるのを防止することができる。また、洗浄位置アイコン２３ｆから把握される洗浄便座１０の前後方向と、実際の前後方向とを一致させることで、使用者が洗浄位置を調整する際に前後方向を誤操作するのを防止することができる。
【００２５】
以上説明した本実施例のリモコン２０は、右壁面および左壁面のいずれにリモコン２０が設置されているかを取得し、取得した位置に基づいて表示操作パネル２２のアイコン２３の表示内容を変更する。このため、リモコン２０が設置される位置（壁面）に拘わらず、アイコン２３の表示内容を適切なものとすることができる。
【００２６】
また、リモコン２０は、洗浄便座１０の洗浄ノズルが作動する際の作動状態を側方から模式的に示すおしり洗浄アイコン２３ｂやビデ洗浄アイコン２３ｃを、リモコン２０の位置に基づいて左右を反転して表示する。このため、洗浄操作の際に使用者に違和感を与えるのを防止することができる。また、リモコン２０は、洗浄便座１０の乾燥ファンが作動する際の作動状態を側方から模式的に示す乾燥アイコン２３ｄを、リモコン２０の位置に基づいて左右を反転して表示する。このため、乾燥操作の際に使用者に違和感を与えるのを防止することができる。また、リモコン２０は、便蓋開閉アイコン２３ｇおよび便座開閉アイコン２３ｈを、リモコン２０の位置に基づいて左右を反転して表示する。このため、便蓋１６や便座１４の開閉操作の際に使用者に違和感を与えるのを防止することができる。
【００２７】
また、リモコン２０は、洗浄便座１０の洗浄ノズルの前後方向における作動位置を模式的に示す洗浄位置アイコン２３ｆを、リモコン２０の位置に基づいて左右を反転して表示する。このため、洗浄ノズルの前後方向の位置調整をする際に使用者に違和感を与えるのを防止すると共に使用者が前後方向を誤操作するのを抑制することができる。
【００２８】
また、リモコン２０は、使用者などの手動操作によりリモコン２０の位置を設定可能な設定スイッチ２４を備え、設定スイッチ２４により設定された位置を取得してアイコン２３の表示を変更する。このため、設定スイッチ２４を追加する簡易な構成変更で、リモコン２０のアイコン２３の表示を適切なものとすることができる。
【００２９】
実施例では、設定スイッチ２４をリモコン２０の筐体の前面に設けたが、これに限られず、リモコン２０の筐体の後面（背面）や側面、上面、下面などの他の面に設けてもよい。例えば、設定スイッチ２４を筐体の後面に設ける場合、リモコン２０を設置する際にその位置を設定可能とし設置後は設定変更を困難にするから、設置後に誤って位置設定が変更されるのを防止することができる。また、リモコン２０が壁面に設置されると、後面の設定スイッチ２４は前方から見えないため、開閉蓋２４ａを省略することができる。
【００３０】
実施例では、設定スイッチ２４から入力される位置信号に基づいて制御部２８がリモコン２０の位置を取得したが、これに限られるものではない。例えば、制御部２８は、リモコン２０の位置を設定する設定画面などを表示操作パネル２２に表示して、使用者や設置者による設定画面を介した設定操作によりリモコン２０の位置を取得してもよい。あるいは、使用者などの操作によりリモコン２０の位置を取得するものに限られず、制御部２８がリモコン２０の位置を自動で取得してもよい。例えば、リモコン２０の送信部２６が有する右側送信部２６ａおよび左側送信部２６ｂをリモコン信号の送信だけでなく、洗浄便座１０の後方に配置される送受信部から送信される信号を受信可能に構成しておく。そして、リモコン２０は、洗浄便座１０の送受信部との間で通信を行って右側送信部２６ａおよび左側送信部２６ｂが信号を受信した際の信号レベル（受信強度）を測定する。リモコン２０が洗浄便座１０に対して左側の位置や右側の位置に配置されていると、右側送信部２６ａから洗浄便座１０の送受信部までの距離と、左側送信部２６ｂから洗浄便座１０の送受信部までの距離とが異なり、信号レベルも変化することになる。このため、リモコン２０は、測定した信号レベルに基づいて右側送信部２６ａおよび左側送信部２６ｂのいずれが洗浄便座１０に近いのかを判定し、その判定結果に基づいてリモコン２０が左右の壁面のいずれに設置されているかを取得するものなどとしてもよい。
【００３１】
実施例では、リモコン２０が左右の壁面のいずれかに設置される場合を例示して説明したが、壁面に限られず、洗浄便座１０に対して左側の位置や右側の位置に設置されるものであればよい。また、左右の位置に限られず、トイレ室のドアが正面ではなく左右のいずれかに設けられる場合などではリモコン２０が洗浄便座１０に対して正面の位置（壁面）に設置されるものとしてもよい。あるいは、リモコン２０が壁面などに設置（固定）されるものに限られず、洗浄便座１０に着座している使用者がリモコン２０を手に持って操作可能となるようリモコン２０が固定されていないものなどとしてもよい。リモコン２０が洗浄便座１０（使用者）に対して正面に位置する場合には、制御部２８は表示操作パネル２２を以下のような正面用の表示に切り替えるものなどとすればよい。
【００３２】
図７は、変形例のリモートコントロール装置２０の正面図である。変形例のリモートコントロール装置２０は表示操作パネル２２が正面用の表示態様２２Ｆとなっている。正面用の表示態様２２Ｆでは、図３〜図６の右側用の表示態様２２Ｒや左側用の表示態様２２Ｌと異なり、洗浄便座１０の後方から前方に向かう方向を表示画面の下方から上方に向かう方向に見立てたアイコン２３が表示されている。このため、おしり洗浄アイコン２３ｂやビデ洗浄アイコン２３ｃは、洗浄水が下方から上方に噴射される絵柄となっている。また、乾燥アイコン２３ｄは、気流が下方から上方に流れる絵柄となっている。また、洗浄位置アイコン２３ｆは、洗浄位置を示すブロック画像を上下方向に縦一列で示すと共に前後方向の調整を上下方向に配置された「前」，「後」のボタン画像の操作で行うものとなっている。これらのことから、リモコン２０が洗浄便座１０（使用者）に対して正面に位置する場合でも、実施例と同様に、使用者が違和感を覚えたり誤操作したりするのを防止することができる。なお、図７では、設定スイッチの図示を省略したが、設置位置として前方（正面壁）を設定（選択）可能な設定スイッチが図３，図４と同様にリモコン２０の筐体の前面に設けられていてもよいし、筐体の前面以外の後面や側面などに設けられててもよい。あるいは、上述したように、設定スイッチによらずに、リモコン２０の位置を取得するものなどとしてもよい。
【００３３】
実施例では、おしり洗浄アイコン２３ｂとビデ洗浄アイコン２３ｃ、乾燥アイコン２３ｄ、洗浄強さアイコン２３ｅ、洗浄位置アイコン２３ｆ、便蓋開閉アイコン２３ｇ、便座開閉アイコン２３ｈの７つのアイコン２３の表示内容を変更（左右反転）するものとしたが、これに限られず、これらのうちの少なくとも１以上のアイコン２３の表示内容を変更するものであればよい。また、これらのアイコン２３に限られず、洗浄便座１０の機能を模式的に示すアイコンの表示内容をリモコン２０の位置に基づいて変更するものであればよい。
【００３４】
実施例の主要な要素と課題を解決するための手段の欄に記載した発明の主要な要素との対応関係について説明する。実施例では、洗浄便座１０が「洗浄便座」に相当し、リモートコントロール装置（リモコン）２０が「リモートコントロール装置」に相当し、表示操作パネル２２が「表示操作手段」に相当し、設定スイッチ２４からの位置信号が入力されると共に位置信号に基づいて表示操作パネル２８の表示を変更する制御部２８が「相対位置取得手段」と「表示制御手段」に相当する。また、設定スイッチ２４が「スイッチ」に相当する。
【００３５】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００３６】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３７】
本発明は、洗浄便座の製造産業などに利用可能である。
【符号の説明】
【００３８】
１  便器、１０  洗浄便座、１２  本体、１４  便座、１６  便蓋、２０  リモートコントロール装置（リモコン）、２２  表示操作パネル、２２Ｆ  正面用の表示態様、２２Ｌ  左側用の表示態様、２２Ｒ  右側用の表示態様、２３  アイコン、２３ａ  止アイコン、２３ｂ  おしり洗浄アイコン、２３ｃ  ビデ洗浄アイコン、２３ｄ  乾燥アイコン、２３ｅ  洗浄強さ設定アイコン、２３ｆ  洗浄位置調整アイコン、２３ｇ  便蓋開閉アイコン、２３ｈ  便座開閉アイコン、２４  設定スイッチ、２４ａ  開閉蓋、２６  信号送信部、２６ａ  右側送信部、２６ｂ  左側送信部、２８  制御部、Ｍ  使用者。
【図１】
2018178583.tif 000003
【図２】
2018178583.tif 000004
【図３】
2018178583.tif 000005
【図４】
2018178583.tif 000006
【図５】
2018178583.tif 000007
【図６】
2018178583.tif 000008
【図７】
2018178583.tif 000009